(57)【要約】      （修正有）【課題】エネルギー管理者の負担を軽減し、省エネルギー対策をスムーズに進展させることができるエネルギー管理システムおよびエネルギー管理プログラムを提供する。【解決手段】エネルギー管理システムは、設備機器または所定の設備機器群が消費するエネルギーを管理するエネルギー管理システムであって、エネルギー計測装置、加工情報生成手段、第１表示手段、第１入力手段、および第２表示手段を備える。エネルギー計測装置は、設備機器または所定の設備機器群が消費するエネルギーを計測する。加工情報生成手段は計測値を加工して加工情報を生成する。第１表示手段は、エネルギー管理情報を表示する。第１入力手段では、エネルギー管理情報に対して設備機器または所定の設備機器群の改善情報が入力される。第２表示手段は、第１入力手段において入力される設備機器または所定の設備機器群の改善情報を表示する。【選択図】        図１
2004355531.tif 000002
【特許請求の範囲】
【請求項１】
設備機器（２１，２２，・・・，２８，２９，３０）または所定の設備機器群（３５，３６）が消費するエネルギーを管理するエネルギー管理システム（１１０，１２０，１３０）であって、
前記設備機器（２１，２２，・・・，２８，２９，３０）または前記所定の設備機器群（３５，３６）が消費するエネルギーを計測するエネルギー計測装置（１１ａ，１１ｂ，１１ｃ，１２）と、
前記エネルギーの計測値を加工して加工情報を生成する加工情報生成手段（６５，５５５ａ，５５５ｂ，６６５）と、
前記設備機器（２１，２２，・・・，２８，２９，３０）または前記所定の設備機器群（３５，３６）を特定する特定情報と前記加工情報とを少なくとも含むエネルギー管理情報を表示する第１表示手段（５１ａ，５１ｂ，６１，７１，５５１ａ，５５１ｂ，５６１，６５１ａ，６５１ｂ，６６１，６７１）と、
前記エネルギー管理情報に対して前記設備機器（２１，２２，・・・，２８，２９，３０）または前記所定の設備機器群（３５，３６）の改善情報を入力する第１入力手段（５２ａ，５２ｂ，５５２ａ，５５２ｂ，６５２ａ，６５２ｂ）と、
前記第１入力手段（５２ａ，５２ｂ，５５２ａ，５５２ｂ，６５２ａ，６５２ｂ）において入力される前記設備機器（２１，２２，・・・，２８，２９，３０）または前記所定の設備機器群（３５，３６）の改善情報を表示する第２表示手段（５１ａ，５１ｂ，６１，７１，５５１ａ，５５１ｂ，５６１，６５１ａ，６５１ｂ，６６１，６７１）と、
を備える、エネルギー管理システム（１１０，１２０，１３０）。
【請求項２】
前記エネルギー管理情報、または前記設備機器（２１，２２，・・・，２８，２９，３０）もしくは前記所定の設備機器群（３５，３６）の改善情報に対する評価またはコメントを入力する第２入力手段をさらに備える、
請求項１に記載のエネルギー管理システム（１１０，１２０，１３０）。
【請求項３】
前記設備機器（２１，２２，・・・，２８，２９，３０）または前記所定の設備機器群（３５，３６）が属する建造物（１０３，１０４）において、計測可能な物理量（エネルギー量を除く。）を計測する物理量計測手段（１３）をさらに備え、
前記加工情報生成手段（６５，５５５ａ，５５５ｂ，６６５）は、前記エネルギーの計測値のみならず前記物理量の計測値をも加工して加工情報を生成し、
前記第１表示手段（５１ａ，５１ｂ，６１，７１，５５１ａ，５５１ｂ，５６１，６５１ａ，６５１ｂ，６６１，６７１）は、前記設備機器（２１，２２，・・・，２８，２９，３０）もしくは前記所定の設備機器群（３５，３６）を特定する設備機器等特定情報または前記建造物を特定する建造物特定情報と前記加工情報とを少なくとも含むエネルギー等管理情報を表示し、
前記第１入力手段（５２ａ，５２ｂ，５５２ａ，５５２ｂ，６５２ａ，６５２ｂ）では、前記エネルギー等管理情報に対して前記設備機器（２１，２２，・・・，２８，２９，３０）もしくは前記所定の設備機器群（３５，３６）または前記建造物（１０３，１０４）の改善情報が入力され、
前記第２表示手段（５１ａ，５１ｂ，６１，７１，５５１ａ，５５１ｂ，５６１，６５１ａ，６５１ｂ，６６１，６７１）は、前記第１入力手段（５２ａ，５２ｂ，５５２ａ，５５２ｂ，６５２ａ，６５２ｂ）において入力される前記設備機器（２１，２２，・・・，２８，２９，３０）もしくは前記所定の設備機器群（３５，３６）または前記建造物（１０３，１０４）の改善情報を表示する、
請求項１または２に記載のエネルギー管理システム（１１０，１２０，１３０）。
【請求項４】
設備機器（２１，２２，・・・，２８，２９，３０）または所定の設備機器群（３５，３６）が消費するエネルギーを管理するエネルギー管理システム（１２０）であって、
前記設備機器（２１，２２，・・・，２８，２９，３０）または前記所定の設備機器群（３５，３６）が消費するエネルギーを計測するエネルギー計測装置（１１ａ，１１ｂ，１１ｃ，１２）と、
前記エネルギーの計測値を加工して加工情報を生成する加工情報生成手段（５５５ａ，５５５ｂ）と、前記設備機器（２１，２２，・・・，２８，２９，３０）または前記所定の設備機器群（３５，３６）を特定する特定情報と前記加工情報とを少なくとも含むエネルギー管理情報を表示する表示手段（５５１ａ，５５１ｂ）と、前記エネルギー管理情報に対して前記設備機器（２１，２２，・・・，２８，２９，３０）または前記所定の設備機器群（３５，３６）の改善情報を入力する入力手段（５５２ａ，５５２ｂ）と、を有する情報管理装置（５５０ａ，５５０ｂ）と、
前記情報管理装置（５５０ａ，５５０ｂ）の前記入力手段（５５２ａ，５５２ｂ）において入力される前記設備機器（２１，２２，・・・，２８，２９，３０）または前記所定の設備機器群（３５，３６）の改善情報を表示する情報端末（７０，５６０）と、
を備える、エネルギー管理システム（１２０）。
【請求項５】
前記情報管理装置（５５０ａ，５５０ｂ）は、前記設備機器（２１，２２，・・・，２８，２９，３０）または前記所定の設備機器群（３５，３６）が配置される部屋または建造物（５０３，５０４）に設置され、
前記情報端末（５６０）は、前記エネルギーの管理を担当する者が属する部屋または建造物（５０１）に設置される、
請求項４に記載のエネルギー管理システム（１２０）。
【請求項６】
設備機器（２１，２２，・・・，２８，２９，３０）または所定の設備機器群（３５，３６）が消費するエネルギーを管理するエネルギー管理システム（１３０）であって、
前記設備機器（２１，２２，・・・，２８，２９，３０）または前記所定の設備機器群（３５，３６）が消費するエネルギーを計測するエネルギー計測装置（１１ａ，１１ｂ，１１ｃ，１２）と、
前記エネルギーの計測値を加工して加工情報を生成する情報管理サーバ（６６０）と、
前記設備機器（２１，２２，・・・，２８，２９，３０）または前記所定の設備機器群（３５，３６）を特定する特定情報と前記加工情報とを少なくとも含むエネルギー管理情報を表示する表示手段（６５１ａ，６５１ｂ）と、前記エネルギー管理情報に対して前記設備機器（２１，２２，・・・，２８，２９，３０）または前記所定の設備機器群（３５，３６）の改善情報を入力する入力手段（６５２ａ，６５２ｂ）と、を有する第１情報端末（６５０ａ，６５０ｂ）と、
前記設備機器（２１，２２，・・・，２８，２９，３０）または前記所定の設備機器群（３５，３６）の改善情報を表示する第２情報端末（６７０）と、
を備える、エネルギー管理システム（１３０）。
【請求項７】
前記第１情報端末（６５０ａ，６５０ｂ）は、前記設備機器（２１，２２，・・・，２８，２９，３０）または前記所定の設備機器群（３５，３６）が配置される部屋または建造物（６０３，６０４）に設置され、
前記第２情報端末（６７０）は、前記エネルギーの管理を担当する者が属する部屋または建造物（６０１）に設置される、
請求項６に記載のエネルギー管理システム（１３０）。
【請求項８】
設備機器（２１，２２，・・・，２８，２９，３０）または所定の設備機器群（３５，３６）が消費するエネルギーを管理するエネルギー管理システム（１１０）であって、
前記設備機器（２１，２２，・・・，２８，２９，３０）または前記所定の設備機器群（３５，３６）が消費するエネルギーを計測するエネルギー計測装置（１１ａ，１１ｂ，１１ｃ，１２）と、
前記エネルギーの計測値を加工して加工情報を生成する情報管理サーバ（６０）と、
前記設備機器（２１，２２，・・・，２８，２９，３０）または前記所定の設備機器群（３５，３６）を特定する特定情報と前記加工情報とを少なくとも含むエネルギー管理情報を表示する表示手段（５１ａ，５１ｂ）と、前記エネルギー管理情報に対して前記設備機器（２１，２２，・・・，２８，２９，３０）または前記所定の設備機器群（３５，３６）の改善情報を入力する入力手段（５２ａ，５２ｂ）と、を有する情報端末（５０ａ，５０ｂ）と、
を備え、
前記情報管理サーバ（６０）は、前記設備機器（２１，２２，・・・，２８，２９，３０）または前記所定の設備機器群（３５，３６）の改善情報を表示する、
エネルギー管理システム（１１０）。
【請求項９】
前記情報管理サーバ（６０）は、前記エネルギーの管理を担当する者が属する部屋または建造物（１０３，１０４）に設置され、
前記情報端末（５０ａ，５０ｂ）は、前記設備機器（２１，２２，・・・，２８，２９，３０）または前記所定の設備機器群（３５，３６）が配置される部屋または建造物（１０１）に設置される、
請求項８に記載のエネルギー管理システム（１１０）。
【請求項１０】
設備機器（２１，２２，・・・，２８，２９，３０）または所定の設備機器群（３５，３６）が消費するエネルギーを管理するエネルギー管理プログラム（６４，５５４ａ，５５４ｂ，６６４）であって、
前記設備機器（２１，２２，・・・，２８，２９，３０）または前記所定の設備機器群（３５，３６）が消費するエネルギーの計測値を取得する計測値取得ステップと、
前記計測値を加工して加工情報を生成する加工情報生成ステップと、
前記設備機器（２１，２２，・・・，２８，２９，３０）または前記所定の設備機器群（３５，３６）を特定する特定情報と前記加工情報とを少なくとも含むエネルギー管理情報を表示する第１表示ステップと、
前記エネルギー管理情報に対して前記設備機器（２１，２２，・・・，２８，２９，３０）または前記所定の設備機器群（３５，３６）の改善情報を入力する第１入力ステップと、
前記入力ステップにおいて入力される前記設備機器（２１，２２，・・・，２８，２９，３０）または前記所定の設備機器群（３５，３６）の改善情報を表示する第２表示ステップと、
を備える、エネルギー管理プログラム（６４，５５４ａ，５５４ｂ，６６４）。
【請求項１１】
設備機器（２１，２２，・・・，２８，２９，３０）または所定の設備機器群（３５，３６）が消費するエネルギーを管理するエネルギー管理システム（１１０，１２０，１３０）であって、
前記設備機器（２１，２２，・・・，２８，２９，３０）または前記所定の設備機器群（３５，３６）が消費するエネルギーの計測値を取得するエネルギー計測値取得手段（１１ａ，１１ｂ，１１ｃ，１２）と、
前記計測値を加工して加工情報を生成する加工情報生成手段（６５，５５５ａ，５５５ｂ，６６５）と、
前記設備機器（２１，２２，・・・，２８，２９，３０）または前記所定の設備機器群（３５，３６）を特定する特定情報と前記加工情報とを少なくとも含むエネルギー管理情報を表示する第１表示手段（５１ａ，５１ｂ，６１，７１，５５１ａ，５５１ｂ，５６１，６５１ａ，６５１ｂ，６６１，６７１）と、
前記エネルギー管理情報に対して前記設備機器（２１，２２，・・・，２８，２９，３０）または前記所定の設備機器群（３５，３６）の改善情報を入力する第１入力手段（５２ａ，５２ｂ，５５２ａ，５５２ｂ，６５２ａ，６５２ｂ）と、
前記第１入力手段（５２ａ，５２ｂ，５５２ａ，５５２ｂ，６５２ａ，６５２ｂ）において入力される前記設備機器（２１，２２，・・・，２８，２９，３０）または前記所定の設備機器群（３５，３６）の改善情報を表示する第２表示手段（５１ａ，５１ｂ，６１，７１，５５１ａ，５５１ｂ，５６１，６５１ａ，６５１ｂ，６６１，６７１）と、
を備える、エネルギー管理システム（１１０，１２０，１３０）。
【発明の詳細な説明】
【０００１】
【発明の属する技術分野】
本発明は、設備機器または所定の設備機器群が消費するエネルギーを管理するエネルギー管理装置に関する。
【０００２】
【従来の技術】
近年、ビルや工場などにおいて省エネルギー活動が盛んに行われるようになっている。この省エネルギー活動を促進するツールとして、エネルギー管理システムが注目されつつある。このエネルギー管理システムは、エネルギー管理者などがエネルギーの使用状況などに関する情報を一元管理することを可能にしたり、エネルギーの使用状況などを容易に図２のようなグラフに表したりすることができる（例えば、特許文献１および特許文献２参照）。このため、エネルギー管理システムは、エネルギー管理者などにとっては、非常に便利なツールである。
【０００３】
【特許文献１】
特開２００１−１５９９０９号公報（第２−５項、図３）
【０００４】
【特許文献２】
特開２００２−２５９５０８号公報（第３−５項、図４）
【０００５】
【発明が解決しようとする課題】
しかし、エネルギーを消費する設備機器または製造ラインなどの運用状況や問題点を実際に把握しているのは、その設備機器または製造ラインを運用している現場担当者などである。このため、エネルギー管理者などが具体的な省エネルギー対策を講じるためには、現場担当者などからの情報が不可欠となる。したがって、エネルギー管理者などは、比較的頻繁に現場担当者などと個別会合を行ったり、ときには自ら現場に赴き現場担当者などに対してヒアリングを行ったりしなければならないことがある。このような事情により、エネルギー管理者などに過度の負担がかかることが比較的多く、省エネルギー対策がスムーズに進展しなくなることがたびたび起こる。
【０００６】
本発明の課題は、エネルギー管理者の負担を軽減し、省エネルギー対策をスムーズに進展させることができるエネルギー管理システムおよびエネルギー管理プログラムを提供することにある。
【０００７】
【課題を解決するための手段】
請求項１に記載のエネルギー管理システムは、設備機器または所定の設備機器群が消費するエネルギーを管理するエネルギー管理システムであって、エネルギー計測装置、加工情報生成手段、第１表示手段、第１入力手段、および第２表示手段を備える。なお、ここにいう「所定の設備機器群」とは、製造ラインなどである。また、ここにいう「エネルギー」とは、電力、ガス、または重油などである。さらに、ここにいう「エネルギー計測装置」とは、電力計、ガスメータまたは流量計などである。エネルギー計測装置は、設備機器または所定の設備機器群が消費するエネルギーを計測する。加工情報生成手段は、エネルギーの計測値を加工して加工情報を生成する。なお、ここにいう「加工情報」とは、グラフや表などである。第１表示手段は、エネルギー管理情報を表示する。なお、エネルギー管理情報は、特定情報と加工情報とを少なくとも含む。また、特定情報は、設備機器または所定の設備機器群を特定するための情報である。第１入力手段では、エネルギー管理情報に対して設備機器または所定の設備機器群の改善情報が入力される。なお、ここにいう「改善情報」とは、問題点、課題、改善案、またはこれらに類する情報である。第２表示手段は、第１入力手段において入力される設備機器または所定の設備機器群の改善情報を表示する。
【０００８】
ここでは、先ず、エネルギー計測装置が、設備機器または所定の設備機器群が消費するエネルギーを計測する。次に、加工情報生成手段が、エネルギーの計測値を加工して加工情報を生成する。続いて、第１表示手段が、エネルギー管理情報を表示する。そして、第１入力手段で、エネルギー管理情報に対して設備機器または所定の設備機器群の改善情報が入力される。その後、第２表示手段が、第１入力手段において入力される設備機器または所定の設備機器群の改善情報を表示する。このため、現場担当者などが第１入力手段を用いて設備機器や製造ラインなどの情報を入力し且つエネルギー管理者などが第２表示手段において表示される情報を閲覧することができれば、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理システムは、エネルギー管理者の負担を軽減し、省エネルギー対策をスムーズに進展させることができる。
【０００９】
請求項２に記載のエネルギー管理システムは、請求項１に記載のエネルギー管理システムであって、第２入力手段をさらに備える。第２入力手段では、エネルギー管理情報、または設備機器もしくは所定の設備機器群の改善情報に対する評価またはコメントが入力される。
ここでは、エネルギー管理者などが現場の意見などに対して評価またはコメントを入力することができる。このため、エネルギー管理者などは、現場担当者などとの個別会合を開いたり現場担当者などをヒアリングするために現場に赴いたりすることなく、その事例に関して現場担当者などに指示を与えることができる。したがって、本エネルギー管理システムは、エネルギー管理者の負担を軽減し、省エネルギー対策をスムーズに進展させることができる。
【００１０】
請求項３に記載のエネルギー管理システムは、請求項１または２に記載のエネルギー管理システムであって、物理量計測手段をさらに備える。物理量計測手段は、設備機器または所定の設備機器群が属する建造物において、計測可能な物理量（エネルギー量を除く。）を計測する。なお、ここにいう「物理量」とは、水の使用量や排出量、設備機器の消費電力に影響を及ぼすような外的または内的因子（例えば、空気調和機の場合は、外気温度や室内温度などである。）などである。加工情報生成手段は、エネルギーの計測値のみならず物理量の計測値をも加工して加工情報を生成する。第１表示手段は、エネルギー等管理情報を表示する。なお、エネルギー等管理情報は、設備機器等特定情報または建造物特定情報と加工情報とを少なくとも含む。また、設備機器等特定情報は、設備機器もしくは所定の設備機器群を特定するための情報である。さらに、建造物特定情報は、建造物を特定するための情報である。第１入力手段では、エネルギー等管理情報に対して設備機器もしくは所定の設備機器群または建造物の改善情報が入力される。第２表示手段は、第１入力手段において入力される設備機器もしくは所定の設備機器群または建造物の改善情報を表示する。
【００１１】
ここでは、物理量計測手段が、設備機器または所定の設備機器群が属する建造物において、計測可能な物理量を計測する。次に、加工情報生成手段が、エネルギーの計測値のみならず物理量の計測値をも加工して加工情報を生成する。そして、第１表示手段が、エネルギー等管理情報を表示する。続いて、第１入力手段で、エネルギー等管理情報に対して設備機器もしくは所定の設備機器群または建造物の改善情報が入力される。その後、第２表示手段が、第１入力手段において入力される設備機器もしくは所定の設備機器群または建造物の改善情報を表示する。このため、エネルギー管理だけでなく、工場などにおいて消費などされる様々な物理量を総合的に管理することができる。
【００１２】
請求項４に記載のエネルギー管理システムは、設備機器または所定の設備機器群が消費するエネルギーを管理するエネルギー管理システムであって、エネルギー計測装置、情報管理装置、および情報端末を備える。エネルギー計測装置は、設備機器または所定の設備機器群が消費するエネルギーを計測する。情報管理装置は、加工情報生成手段、表示手段、および入力手段を有する。加工情報生成手段は、エネルギーの計測値を加工して加工情報を生成する。表示手段は、エネルギー管理情報を表示する。なお、エネルギー管理情報は、特定情報と加工情報とを少なくとも含む。また、特定情報は、設備機器または所定の設備機器群を特定するための情報である。入力手段では、エネルギー管理情報に対して設備機器または所定の設備機器群の改善情報が入力される。情報端末は、情報管理装置の入力手段において入力される設備機器または所定の設備機器群の改善情報を表示する。
【００１３】
ここでは、先ず、エネルギー計測装置が、設備機器または所定の設備機器群が消費するエネルギーを計測する。そして、情報管理装置において、加工情報生成手段が、エネルギーの計測値を加工して加工情報を生成する。続いて、表示手段が、エネルギー管理情報を表示する。そして、入力手段で、エネルギー管理情報に対して設備機器または所定の設備機器群の改善情報が入力される。また、情報端末が、情報管理装置の入力手段において入力される設備機器または所定の設備機器群の改善情報を表示する。このため、現場担当者などが情報管理装置の入力手段を用いて設備機器や製造ラインなどの情報を入力し且つエネルギー管理者などが情報端末に表示される情報を閲覧することができれば、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理システムは、エネルギー管理者の負担を軽減し、省エネルギー対策をスムーズに進展させることができる。
【００１４】
請求項５に記載のエネルギー管理システムは、請求項４に記載のエネルギー管理システムにあって、情報管理装置は、設備機器または所定の設備機器群が配置される部屋または建造物に設置される。また、情報端末は、エネルギーの管理を担当する者が属する部屋または建造物に設置される。
ここでは、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理システムは、エネルギー管理者の負担を軽減し、省エネルギー対策をスムーズに進展させることができる。
【００１５】
請求項６に記載のエネルギー管理システムは、設備機器または所定の設備機器群が消費するエネルギーを管理するエネルギー管理システムであって、エネルギー計測装置、情報管理サーバ、第１情報端末、および第２情報端末を備える。エネルギー計測装置は、設備機器または所定の設備機器群が消費するエネルギーを計測する。情報管理サーバは、エネルギーの計測値を加工して加工情報を生成する。第１情報端末は、表示手段、および入力手段を有する。表示手段は、エネルギー管理情報を表示する。なお、エネルギー管理情報は、特定情報と加工情報とを少なくとも含む。また、特定情報は、設備機器または所定の設備機器群を特定するための情報である。入力手段では、エネルギー管理情報に対して設備機器または所定の設備機器群の改善情報が入力される。第２情報端末は、設備機器または所定の設備機器群の改善情報を表示する。
【００１６】
ここでは、先ず、エネルギー計測装置が、設備機器または所定の設備機器群が消費するエネルギーを計測する。そして、情報管理サーバが、エネルギーの計測値を加工して加工情報を生成する。また、第１情報端末において、表示手段が、エネルギー管理情報を表示する。そして、入力手段で、エネルギー管理情報に対して設備機器または所定の設備機器群の改善情報が入力される。さらに、第２情報端末が、設備機器または所定の設備機器群の改善情報を表示する。このため、現場担当者などが第１情報端末の入力手段を用いて設備機器や製造ラインなどの情報を入力し且つエネルギー管理者などが第２情報端末に表示される情報を閲覧することができれば、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理システムは、エネルギー管理者の負担を軽減し、省エネルギー対策をスムーズに進展させることができる。
【００１７】
請求項７に記載のエネルギー管理システムは、請求項６に記載のエネルギー管理システムであって、第１情報端末は、設備機器または所定の設備機器群が配置される部屋または建造物に設置される。また、第２情報端末は、エネルギーの管理を担当する者が属する部屋または建造物に設置される。
ここでは、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理システムは、エネルギー管理者の負担を軽減し、省エネルギー対策をスムーズに進展させることができる。
【００１８】
請求項８に記載のエネルギー管理システムは、設備機器または所定の設備機器群が消費するエネルギーを管理するエネルギー管理システムであって、エネルギー計測装置、情報管理サーバ、および情報端末を備える。エネルギー計測装置は、設備機器または所定の設備機器群が消費するエネルギーを計測する。情報管理サーバは、エネルギーの計測値を加工して加工情報を生成する。情報端末は、表示手段、および入力手段を有する。表示手段は、エネルギー管理情報を表示する。なお、エネルギー管理情報は、特定情報と加工情報とを少なくとも含む。また、特定情報は、設備機器または所定の設備機器群を特定するための情報である。入力手段では、エネルギー管理情報に対して設備機器または所定の設備機器群の改善情報が入力される。そして、情報管理サーバは、設備機器または所定の設備機器群の改善情報を表示する。
【００１９】
ここでは、先ず、エネルギー計測装置が、設備機器または所定の設備機器群が消費するエネルギーを計測する。そして、情報管理サーバが、エネルギーの計測値を加工して加工情報を生成する。また、情報端末において、表示手段が、エネルギー管理情報を表示する。そして、入力手段で、エネルギー管理情報に対して設備機器または所定の設備機器群の改善情報が入力される。さらに、情報管理サーバが、設備機器または所定の設備機器群の改善情報を表示する。このため、現場担当者などが情報端末の入力手段を用いて設備機器や製造ラインなどの情報を入力し且つエネルギー管理者などが情報管理サーバに表示される情報を閲覧することができれば、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理システムは、エネルギー管理者の負担を軽減し、省エネルギー対策をスムーズに進展させることができる。
【００２０】
請求項９に記載のエネルギー管理システムは、請求項８に記載のエネルギー管理システムであって、情報管理サーバは、エネルギーの管理を担当する者が属する部屋または建造物に設置される。また、情報端末は、設備機器または所定の設備機器群が配置される部屋または建造物に設置される。
ここでは、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理システムは、エネルギー管理者の負担を軽減し、省エネルギー対策をスムーズに進展させることができる。
【００２１】
請求項１０に記載のエネルギー管理プログラムは、設備機器または所定の設備機器群が消費するエネルギーを管理するエネルギー管理プログラムであって、計測値取得ステップ、加工情報生成ステップ、第１表示ステップ、第１入力ステップ、および第２表示ステップを備える。計測値取得ステップでは、設備機器または所定の設備機器群が消費するエネルギーの計測値が取得される。加工情報生成ステップでは、計測値が加工されて加工情報が生成される。第１表示ステップでは、エネルギー管理情報が表示される。なお、エネルギー管理情報は、特定情報と加工情報とを少なくとも含む。また、特定情報は、設備機器または所定の設備機器群を特定するための情報である。第１入力ステップでは、エネルギー管理情報に対して設備機器または所定の設備機器群の改善情報が入力される。第２表示ステップでは、第１入力ステップにおいて入力される設備機器または所定の設備機器群の改善情報が表示される。
【００２２】
ここでは、エネルギー管理プログラムが実行されると、先ず、計測値取得ステップで、設備機器または所定の設備機器群が消費するエネルギーの計測値が取得される。次に、加工情報生成ステップで、計測値が加工されて加工情報が生成される。続いて、第１表示ステップで、エネルギー管理情報が表示される。そして、第１入力ステップで、エネルギー管理情報に対して設備機器または所定の設備機器群の改善情報が入力される。その後、第２表示ステップで、第１入力ステップにおいて入力される設備機器または所定の設備機器群の改善情報が表示される。このため、現場担当者などが第１入力ステップにおいて設備機器や製造ラインなどの情報を入力し且つエネルギー管理者などが第２表示ステップにおいて表示される情報を閲覧することができれば、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理プログラムは、エネルギー管理者の負担を軽減し、省エネルギー対策をスムーズに進展させることができる。
【００２３】
請求項１１に記載のエネルギー管理システムは、設備機器または所定の設備機器群が消費するエネルギーを管理するエネルギー管理システムであって、エネルギー計測値取得手段、加工情報生成手段、第１表示手段、第１入力手段、および第２表示手段を備える。エネルギー計測値取得手段は、設備機器または所定の設備機器群が消費するエネルギーの計測値を取得する。加工情報生成手段は、計測値を加工して加工情報を生成する。第１表示手段は、エネルギー管理情報を表示する。なお、エネルギー管理情報は、設備機器または所定の設備機器群を特定する特定情報と加工情報とを少なくとも含む。第１入力手段では、エネルギー管理情報に対して設備機器または所定の設備機器群の改善情報が入力される。第２表示手段は、第１入力手段において入力される設備機器または所定の設備機器群の改善情報を表示する。
【００２４】
ここでは、先ず、エネルギー計測値取得手段が、設備機器または所定の設備機器群が消費するエネルギーの計測値を取得する。次に、加工情報生成手段が、計測値を加工して加工情報を生成する。そして、第１表示手段が、エネルギー管理情報を表示する。続いて、第１入力手段で、エネルギー管理情報に対して設備機器または所定の設備機器群の改善情報が入力される。その後、第２表示手段が、第１入力手段において入力される設備機器または所定の設備機器群の改善情報を表示する。このため、現場担当者などが第１入力手段を用いて設備機器や製造ラインなどの情報を入力し且つエネルギー管理者などが第２表示手段において表示される情報を閲覧することができれば、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理システムは、エネルギー管理者の負担を軽減し、省エネルギー対策をスムーズに進展させることができる。
【００２５】
【発明の実施の形態】
本実施の形態では、工場に導入されるエネルギー管理システムについて説明する。
＜＜第１実施形態＞＞
＜エネルギー管理システムについて＞
［構成］
図１には、第１実施形態に係るエネルギー管理システム１１０のブロック図を示す。本エネルギー管理システム１１０は、生産設備２１，２２，・・・，２８，２９，３０、ガス８０、水道８５、電力量計１１ａ，１１ｂ，１１ｃ、ガス量計１２、水流計１３、データ収集装置４０ａ，４０ｂ、およびコンピュータ５０ａ，５０ｂ，６０，７０から構成される。なお、生産設備２１，２２，・・・，２８，２９，３０は、第１工場１０３および第２工場１０４にそれぞれ設置される。ここで、第１生産設備２１は、第１工場１０３に属する。また、第２生産設備から第８生産設備２２，・・・，２８までは、第２工場１０４の第１ライン３５に属する。さらに、第９生産設備２９および第１０生産設備３０は、第２工場１０４の第２ライン３６に属する。ガス８０および水道８５は、第１工場１０３に設置される。電力量計１１ａ，１１ｂ，１１ｃは、第１工場１０３および第２工場１０４にそれぞれ設置される。ガス量計１２および水流計１３は、第１工場１０３に設置される。データ収集装置４０ａ，４０ｂは、第１工場１０３および第２工場１０４にそれぞれ設置される。コンピュータ５０ａ，５０ｂ，６０，７０は、エネルギー管理部門１０１、事務所１０２、第１工場１０３および第２工場１０４にそれぞれ設置される。
【００２６】
［システム構成要素の接続形態］
第１生産設備２１は、電力量計１１ａに接続される。第２生産設備から第８生産設備２２，・・・，２８までは、電力量計１１ｂに接続される。第９生産設備２９および第１０生産設備３０は、電力量計１１ｃに接続される。ガス８０は、ガス量計１２に接続される。水道８５は、水流計１３に接続される。第１工場１０３において、電力量計１１ａ、ガス量計１２および水流計１３は、データ収集装置４０ａに接続される。第２工場１０４において、電力量計１１ｂ，１１ｃは、データ収集装置４０ｂに接続される。データ収集装置４０ａ，４０ｂは、構内ネットワーク９０を介してエネルギー管理部門１０１のコンピュータ６０と接続される。エネルギー管理部門１０１、事務所１０２、第１工場１０３および第２工場１０４に設置されるコンピュータ５０ａ，５０ｂ，６０，７０は、構内ネットワーク９０を介して接続される。
【００２７】
［構成要素］
（１）電力量計１１ａ，１１ｂ，１１ｃ
電力量計１１ａ，１１ｂ，１１ｃは、生産設備２１，２２・・・２８，２９，３０が消費する電力の量を計測する。
（２）ガス量計１２
ガス量計１２は、ガス８０の使用量を計測する。
【００２８】
（３）水流計１３
水流計１３は、水道８５の水の流量を計測し、間接的に水の使用量を算出する。
（４）データ収集装置４０ａ，４０ｂ
データ収集装置４０ａ，４０ｂは、電力量計１１ａ，１１ｂ，１１ｃ、ガス量計１２および水流計１３から得られる情報をエネルギー管理部門１０１のコンピュータ６０に送信する。なお、このとき、データ収集装置４０ａ，４０ｂは、その情報をそのコンピュータ６０が読みとれる形式に変換する。
【００２９】
（５）エネルギー管理部門１０１のコンピュータ６０
このコンピュータ６０は、ディスプレイ６１、データベース６３、管理プログラム６４およびＬＡＮのインターフェイス６６を備える。管理プログラム６４は、データ収集装置４０ａ，４０ｂから構内ネットワーク９０を介して送信される電力量、ガス量および水量の情報を、ＬＡＮのインターフェイス６６により取得する。そして、これらの情報は、データベース６３に格納される。また、管理プログラム６４は、加工プログラム６５を有する。この加工プログラム６５は、収集された情報を利用してグラフや表などを自動的に作成する。なお、このグラフや表などは、ディスプレイ６１に表示される。また、このコンピュータ６０は、Ｗｅｂサーバとしての機能を有している。このため、このコンピュータ６０は、構内ネットワーク９０を介して他のコンピュータ５０ａ，５０ｂ，７０に先のグラフや表などを表示することができる。さらに、管理プログラム６４は、構内ネットワーク９０を介し工場１０３，１０４のコンピュータ５０ａ，５０ｂから入力を受け付けることができる。そして、それらの入力情報は、他のコンピュータ５０ａ，５０ｂ，７０のディスプレイ５１ａ，５１ｂ，７１に表示されることができる。
【００３０】
（６）事務所１０２のコンピュータ７０
このコンピュータ７０は、ディスプレイ７１を備える。このコンピュータ７０は、エネルギー管理部門１０１のコンピュータ６０にインストールされる管理プログラム６４において作成されるグラフや表などを、構内ネットワーク９０を介してそのディスプレイ７１に表示する。
【００３１】
（７）第１工場１０３および第２工場１０４のコンピュータ５０ａ，５０ｂ
これらのコンピュータ５０ａ，５０ｂは、ディスプレイ５１ａ，５１ｂおよびキーボード５２ａ，５２ｂを備える。これらのコンピュータ５０ａ，５０ｂは、エネルギー管理部門１０１のコンピュータ６０にインストールされる管理プログラム６４において作成されるグラフや表などを、構内ネットワーク９０を介してそのディスプレイ５１ａ，５１ｂに表示する。キーボード５２ａ，５２ｂは、構内ネットワーク９０を介して、先の管理プログラム６５が用意する入力欄に入力を施すために設けられる。
【００３２】
［エネルギー管理情報の表示から改善提案情報の登録までの流れ］
図８には、エネルギー管理情報の表示から改善提案情報の登録までの流れを表すフローチャートを示す。
図８において、ステップＳ１１では、工場１０３，１０４のコンピュータ５０ａ，５０ｂが、図３に示す管理データ画面２２０をそのディスプレイ５１ａ，５１ｂに表示する。ステップＳ１２では、改善提案ボタン２２１が押される。ステップＳ１３では、コンピュータ５０ａ，５０ｂが、図４に示す対象設備選択画面２３０をそのディスプレイ５１ａ，５１ｂに表示する。ステップＳ１４では、いずれかのチェックボックス２３１にチェックマークが入れられる。ステップＳ１５では、ＯＫボタン２３２が押される。なお、ここで、キャンセルボタン２３３が押された場合は、管理データ画面２２０に戻る。ステップＳ１６では、コンピュータ５０ａ，５０ｂが、図５に示す既存提案確認ダイアログ２３５をそのディスプレイ５１ａ，５１ｂに表示する。ステップＳ１７では、ＹＥＳボタン２３６が押されればステップＳ１８に移り、ＮＯボタン２３７が押されればステップＳ２０に移る。なお、キャンセルボタン２３８が押された場合は、既存提案確認ダイアログ２３５が消える。ステップＳ１８では、コンピュータ５０ａ，５０ｂが、図６に示す過去の改善事例表示画面２４０をそのディスプレイ５１ａ，５１ｂに表示する。ステップＳ１９では、提案入力ボタン２４１が押される。なお、ここで、改善事例のハイパーリンク文字列２４３ａが選択されると、対応する改善事例が表示される。また、提案項目のハイパーリンク文字列２４３ｂが選択されると、対応する提案項目が表示される。さらに、キャンセルボタン２４２が押されると、対象設備選択画面２３０に戻る。ステップＳ２０では、コンピュータ５０ａ，５０ｂが、図７に示す改善提案入力画面２５０をそのディスプレイ５１ａ，５１ｂに表示する。ここで、改善提案入力画面２５０は、対象設備情報欄２５１、氏名等入力欄２５２、対象部品入力欄２５３、問題点等入力欄２５５および備考欄２５６から構成される。また、対象部品入力欄２５３には、設備概要閲覧ボタン２５４が設けられる。この設備概要閲覧ボタン２５４が押されると、その生産機器２１，２２，・・・，２８，２９，３０やライン３５，３６の配線配管系統図、スケルトン図および写真などが表示される。ステップＳ２１では、氏名等入力欄２５２、対象部品入力欄２５３、問題点等入力欄２５５および備考欄２５６に改善提案情報が入力される。ステップＳ２２では、登録ボタン２５７が押される。なお、ここで、キャンセルボタン２５８が押されると、過去の改善事例表示画面２４０に戻る。
【００３３】
［エネルギー管理システム１１０の特徴］
第１実施形態に係るエネルギー管理システム１１０では、エネルギー管理部門１０１、事務所１０２、第１工場１０３および第２工場１０４にコンピュータ５０ａ，５０ｂ，６０，７０が設置される。そして、それらのコンピュータ５０ａ，５０ｂ，６０，７０は、構内ネットワーク９０を介して接続される。また、管理プログラム６４が、改善提案入力画面２５０を表示する。さらに、工場１０３，１０４の現場担当者などは、その改善提案入力画面２５０において、対象となる生産設備の問題点や対策案などを入力することができる。加えて、その入力情報は、いずれのコンピュータ５０ａ，５０ｂ，６０，７０においても閲覧可能である。このため、エネルギー管理者は、現場担当者との個別会合を開いたり現場担当者をヒアリングするために現場に赴いたりすることなく、現場担当者から生産設備２１，２２，・・・，２８，２９，３０やライン３５，３６などの情報を入手することができる。したがって、本実施の形態に係るエネルギー管理システム１１０は、エネルギー管理者の負担を軽減し、省エネルギー対策をスムーズに進展させることができる。
【００３４】
＜第１実施形態の変形例＞
（１）
第１実施形態に示した改善提案入力画面２５０では、主に工場１０３，１０４の現場担当者の意見を入力できる入力欄が設けられたが、これに加えて、エネルギー管理者がコメントを入力できる入力欄を設けてもよい。このようにすれば、エネルギー管理者が現場の意見などに対して評価またはコメントを入力することができる。このため、エネルギー管理者などは、現場担当者などとの個別会合を開いたり現場担当者をヒアリングするために現場に赴いたりすることなく、その事例に関して現場担当者などに対して指示することができる。したがって、そのようなエネルギー管理システムは、エネルギー管理者の負担を軽減し、省エネルギー対策をスムーズに進展させることができる。
【００３５】
（２）
第１実施形態に係るエネルギー管理システム１１０では、図３に示すような管理データ画面２２０が設けられたが、これに代えて、図９に示すような管理データ画面３２０が設けられてもよい。図３の管理データ画面２２０では改善提案ボタン２２１により画面移動が可能であったが、図９の管理データ画面３２０ではグラフ中のオブジェクト３２１，３２２により画面移動が可能となる。
【００３６】
（３）
第１実施形態に係るエネルギー管理システム１１０では、図３に示すような管理データ画面２２０が設けられたが、これに代えて、図１０に示すような管理データ画面４２０が設けられてもよい。図３の管理データ画面２２０では、改善提案ボタン２２１により画面移動が可能であったが、図１０の管理データ画面４２０ではプルダウンメニュー４２１により画面移動が可能となる。
【００３７】
＜＜第２実施形態＞＞
＜エネルギー管理システムについて＞
［構成］
図１１には、第２実施形態に係るエネルギー管理システム１２０のブロック図を示す。本エネルギー管理システム１２０は、生産設備２１，２２，・・・，２８，２９，３０、ガス８０、水道８５、電力量計１１ａ，１１ｂ，１１ｃ、ガス量計１２、水流計１３、データ収集装置５４０ａ，５４０ｂ、およびコンピュータ５５０ａ，５５０ｂ，５６０，７０から構成される。なお、生産設備２１，２２，・・・，２８，２９，３０は、第１工場５０３および第２工場５０４にそれぞれ設置される。ここで、第１生産設備２１は、第１工場５０３に属する。また、第２生産設備から第８生産設備２２，・・・，２８までは、第２工場５０４の第１ライン３５に属する。さらに、第９生産設備２９および第１０生産設備３０は、第２工場５０４の第２ライン３６に属する。ガス８０および水道８５は、第１工場５０３に設置される。電力量計１１ａ，１１ｂ，１１ｃは、第１工場５０３および第２工場５０４にそれぞれ設置される。ガス量計１２および水流計１３は、第１工場５０３に設置される。データ収集装置５４０ａ，５４０ｂは、第１工場５０３および第２工場５０４にそれぞれ設置される。コンピュータ５５０ａ，５５０ｂ，５６０，７０は、エネルギー管理部門５０１、事務所５０２、第１工場５０３および第２工場５０４にそれぞれ設置される。
【００３８】
［システム構成要素の接続形態］
第１生産設備２１は、電力量計１１ａに接続される。第２生産設備から第８生産設備２２，・・・，２８までは、電力量計１１ｂに接続される。第９生産設備２９および第１０生産設備３０は、電力量計１１ｃに接続される。ガス８０は、ガス量計１２に接続される。水道８５は、水流計１３に接続される。第１工場５０３において、電力量計１１ａ、ガス量計１２および水流計１３は、データ収集装置５４０ａに接続される。第２工場５０４において、電力量計１１ｂ，１１ｃは、データ収集装置５４０ｂに接続される。第１工場５０３において、データ収集装置５４０ａは、コンピュータ５５０ａに接続される。第２工場５０４において、データ収集装置５４０ｂは、コンピュータ５５０ｂに接続される。エネルギー管理部門５０１、事務所５０２、第１工場５０３および第２工場５０４に設置されるコンピュータ５５０ａ，５５０ｂ，５６０，７０は、構内ネットワーク９０を介して接続される。
【００３９】
［構成要素］
（１）電力量計１１ａ，１１ｂ，１１ｃ
電力量計１１ａ，１１ｂ，１１ｃは、生産設備２１，２２，・・・，２８，２９，３０が消費する電力の量を計測する。
（２）ガス量計１２
ガス量計１２は、ガス８０の使用量を計測する。
【００４０】
（３）水流計１３
水流計１３は、水道８５の水の流量を計測し、間接的に水の使用量を算出する。
（４）データ収集装置５４０ａ，５４０ｂ
データ収集装置５４０ａ，５４０ｂは、電力量計１１ａ，１１ｂ，１１ｃ、ガス量計１２および水流計１３から得られる情報を工場５０３，５０４のコンピュータ５５０ａ，５５０ｂに送信する。なお、このとき、データ収集装置５４０ａ，５４０ｂは、その情報をそれらのコンピュータ５５０ａ，５５０ｂが読みとれる形式に変換する。
【００４１】
（５）第１工場５０３および第２工場５０４のコンピュータ５５０ａ，５５０ｂ
これらのコンピュータ５５０ａ，５５０ｂは、ディスプレイ５５１ａ，５５１ｂ、キーボード５５２ａ，５５２ｂ、データベース５５３ａ，５５３ｂ、管理プログラム５５４ａ，５５４ｂおよび接続インターフェイス５５６ａ，５５６ｂを備える。管理プログラム５５４ａ，５５４ｂは、データ収集装置５４０ａ，５４０ｂから送信される電力量、ガス量および水量の情報（第２工場５０４においては、電力量のみ）を、接続インターフェイス５５６ａ，５５６ｂにより取得する。そして、これらの情報は、それぞれのデータベース５５３ａ，５５３ｂに格納される。また、管理プログラム５５４ａ，５５４ｂは、加工プログラム５５５ａ，５５５ｂを有する。この加工プログラム５５５ａ，５５５ｂは、収集された情報を利用してグラフや表などを自動的に作成する。なお、このグラフや表などは、それぞれのディスプレイ５５１ａ，５５１ｂに表示される。さらに、管理プログラム５５４ａ，５５４ｂは、生産設備２１，２２，・・・，２８，２９，３０やライン３５，３６の状況などに対して入力を受け付ける機能を有する。なお、その入力は、キーボード５５２ａ，５５２ｂにより行われる。また、これらのコンピュータ５５０ａ，５５０ｂは、Ｗｅｂサーバとしての機能を有している。このため、これらのコンピュータ５５０ａ，５５０ｂは、構内ネットワーク９０を介して他のコンピュータ５６０，７０に先のグラフや表など、および先の入力情報を表示することができる。
【００４２】
（６）事務所５０２のコンピュータ７０
このコンピュータ７０は、ディスプレイ７１を備える。このコンピュータ７０は、工場５０３，５０４のコンピュータ５５０ａ，５５０ｂにインストールされる管理プログラム５５４ａ，５５４ｂにおいて作成されるグラフや表など、およびその管理プログラム５５４ａ，５５４ｂが用意する入力欄に入力された入力情報を、構内ネットワーク９０を介してそのディスプレイ７１に表示する。
【００４３】
（７）エネルギー管理部門５０１のコンピュータ５６０
このコンピュータ５６０は、ディスプレイ５６１を備える。このコンピュータ５６０は、工場５０３，５０４のコンピュータ５５０ａ，５５０ｂにインストールされる管理プログラム５５４ａ，５５４ｂにおいて作成されるグラフや表など、およびその管理プログラム５５４ａ，５５４ｂが用意する入力欄に入力された入力情報を、構内ネットワーク９０を介してそのディスプレイ５６０に表示する。
【００４４】
［エネルギー管理情報の表示から改善提案情報の登録までの流れ］
エネルギー管理情報の表示から改善提案情報の登録までの流れに関しては、第１実施形態を参照のこと。ただし、管理データ画面２２０の表示前に工場５０３，５０４の選択画面を設ける必要がある。
［エネルギー管理システム１２０の特徴］
第２実施形態に係るエネルギー管理システム１２０では、各工場５０３，５０４に設置されるコンピュータ５５０ａ，５５０ｂそれぞれに情報が収集される。このため、構内ネットワーク９０のトラフィックを良好にすることができる。
【００４５】
＜第２実施形態の変形例＞
第２実施形態では、エネルギー管理部門５０１のコンピュータ５６０は、各工場５０３，５０４のコンピュータ５５０ａ，５５０ｂが配信する情報を閲覧する情報閲覧機能を有するだけであったが、これに加えて、第１工場５０３のコンピュータ５５０ａのデータベース５５３ａに蓄積される情報と第２工場５０４のコンピュータ５５０ｂのデータベース５５３ｂに蓄積される情報とを総括する情報総括機能を有してもよい。このようにすれば、構内全体のエネルギー情報をも把握することができるし、構内全体に対する問題提起を行うこともできる。
【００４６】
＜＜第３実施形態＞＞
＜エネルギー管理システムについて＞
［構成］
図１２には、第１実施形態に係るエネルギー管理システム１３０のブロック図を示す。本エネルギー管理システム１３０は、生産設備２１，２２，・・・，２８，２９，３０、ガス８０、水道８５、電力量計１１ａ，１１ｂ，１１ｃ、ガス量計１２、水流計１３、データ収集装置６４０ａ，６４０ｂ、およびコンピュータ６５０ａ，６５０ｂ，６６０，６７０から構成される。なお、生産設備２１，２２，・・・，２８，２９，３０は、第１工場６０３および第２工場６０４にそれぞれ設置される。ここで、第１生産設備２１は、第１工場６０３に属する。また、第２生産設備から第８生産設備２２，・・・，２８までは、第２工場６０４の第１ライン３５に属する。さらに、第９生産設備２９および第１０生産設備３０は、第２工場６０４の第２ライン３６に属する。ガス８０および水道８５は、第１工場６０３に設置される。電力量計１１ａ，１１ｂ，１１ｃは、第１工場６０３および第２工場６０４にそれぞれ設置される。ガス量計１２および水流計１３は、第１工場６０３に設置される。データ収集装置４０ａ，４０ｂは、第１工場６０３および第２工場６０４にそれぞれ設置される。コンピュータ６５０ａ，６５０ｂ，６６０，６７０は、エネルギー管理部門６０１、第１工場６０３、第２工場６０４およびコンピュータルーム６０５にそれぞれ設置される。
【００４７】
［システム構成要素の接続形態］
第１生産設備２１は、電力量計１１ａに接続される。第２生産設備から第８生産設備２２，・・・，２８までは、電力量計１１ｂに接続される。第９生産設備２９および第１０生産設備３０は、電力量計１１ｃに接続される。ガス８０は、ガス量計１２に接続される。水道８５は、水流計１３に接続される。第１工場６０３において、電力量計１１ａ、ガス量計１２および水流計１３は、データ収集装置６４０ａに接続される。第２工場６０４において、電力量計１１ｂ，１１ｃは、データ収集装置６４０ｂに接続される。データ収集装置６４０ａ，６４０ｂは、構内ネットワーク９０を介してコンピュータルーム６０５のコンピュータ６６０と接続される。エネルギー管理部門６０１、第１工場６０３、第２工場６０４およびコンピュータルーム６０５に設置されるコンピュータ６５０ａ，６５０ｂ，６６０，６７０は、構内ネットワーク９０を介して接続される。
【００４８】
［構成要素］
（１）電力量計１１ａ，１１ｂ，１１ｃ
電力量計１１ａ，１１ｂ，１１ｃは、生産設備２１，２２・・・２８，２９，３０が消費する電力の量を計測する。
（２）ガス量計１２
ガス量計１２は、ガス８０の使用量を計測する。
【００４９】
（３）水流計１３
水流計１３は、水道８５の水の流量を計測し、間接的に水の使用量を算出する。
（４）データ収集装置６４０ａ，６４０ｂ
データ収集装置６４０ａ，６４０ｂは、電力量計１１ａ，１１ｂ，１１ｃ、ガス量計１２および水流計１３から得られる情報をコンピュータルーム６０５のコンピュータ６６０に送信する。なお、このとき、データ収集装置６４０ａ，６４０ｂは、その情報をそのコンピュータ６６０が読みとれる形式に変換する。
【００５０】
（５）コンピュータルーム６０５のコンピュータ６６０
このコンピュータ６６０は、ディスプレイ６６１、データベース６６３、管理プログラム６６４およびＬＡＮのインターフェイス６６６を備える。管理プログラム６６４は、データ収集装置６４０ａ，６４０ｂから構内ネットワーク９０を介して送信される電力量、ガス量および水量の情報を、ＬＡＮのインターフェイス６６６により取得する。そして、これらの情報は、データベース６６３に格納される。また、管理プログラム６６４は、加工プログラム６６５を有する。この加工プログラム６６５は、収集された情報を利用してグラフや表などを自動的に作成する。なお、このグラフや表などは、ディスプレイ６６１に表示される。また、このコンピュータ６６０は、Ｗｅｂサーバとしての機能を有している。このため、このコンピュータ６６０は、構内ネットワーク９０を介して他のコンピュータ６５０ａ，６５０ｂ，６７０に先のグラフや表などを表示することができる。さらに、管理プログラム６６４は、構内ネットワーク９０を介し工場６０３，６０４のコンピュータ６５０ａ，６５０ｂから入力を受け付けることができる。そして、それらの入力情報は、他のコンピュータ６５０ａ，６５０ｂ，６７０のディスプレイ６５１ａ，６５１ｂ，６７１に表示されることができる。
【００５１】
（６）エネルギー管理部門６０１のコンピュータ６７０
このコンピュータ６７０は、ディスプレイ６７１を備える。このコンピュータ６７０は、管理プログラム６６４において作成されるグラフや表などを、構内ネットワーク９０を介してそのディスプレイ６７１に表示する。
（７）第１工場６０３および第２工場６０４のコンピュータ６５０ａ，６５０ｂ
これらのコンピュータ６５０ａ，６５０ｂは、ディスプレイ６５１ａ，６５１ｂおよびキーボード６５２ａ，６５２ｂを備える。これらのコンピュータ６５０ａ，６５０ｂは、管理プログラム６６４において作成されるグラフや表などを、構内ネットワーク９０を介してそのディスプレイ６５１ａ，６５１ｂに表示する。キーボード６５２ａ，６５２ｂは、構内ネットワーク９０を介して、先の管理プログラム６６５が用意する入力欄に入力を施すために設けられる。
【００５２】
［エネルギー管理情報の表示から改善提案情報の登録までの流れ］
エネルギー管理情報の表示から改善提案情報の登録までの流れに関しては、第１実施形態を参照のこと。
［エネルギー管理システム１３０の特徴］
第３実施形態に係るエネルギー管理システム１３０では、コンピュータルーム６０５に設置されるコンピュータ６６０に情報が収集される。このため、エネルギー管理部門６０１のコンピュータ６７０の負荷を低減することができる。
【００５３】
【発明の効果】
請求項１に係るエネルギー管理システムでは、先ず、エネルギー計測装置が、設備機器または所定の設備機器群が消費するエネルギーを計測する。次に、加工情報生成手段が、エネルギーの計測値を加工して加工情報を生成する。続いて、第１表示手段が、エネルギー管理情報を表示する。そして、第１入力手段で、エネルギー管理情報に対して設備機器または所定の設備機器群の改善情報が入力される。その後、第２表示手段が、第１入力手段において入力される設備機器または所定の設備機器群の改善情報を表示する。このため、現場担当者などが第１入力手段を用いて設備機器や製造ラインなどの情報を入力し且つエネルギー管理者などが第２表示手段において表示される情報を閲覧することができれば、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理システムは、エネルギー管理者の負担を軽減し、省エネルギー対策をスムーズに進展させることができる。
【００５４】
請求項２に係るエネルギー管理システムでは、エネルギー管理者が現場の意見などに対して評価またはコメントを入力することができる。このため、エネルギー管理者などは、現場担当者などとの個別会合を開いたり現場担当者などをヒアリングするために現場に赴いたりすることなく、その事例に関して現場担当者などに対して指示することができる。したがって、本エネルギー管理システムは、エネルギー管理者の負担を軽減し、省エネルギー対策をスムーズに進展させることができる。
【００５５】
請求項３に係るエネルギー管理システムでは、物理量計測手段が、設備機器または所定の設備機器群が属する建造物において、計測可能な物理量を計測する。次に、加工情報生成手段が、エネルギーの計測値のみならず物理量の計測値をも加工して加工情報を生成する。そして、第１表示手段が、エネルギー等管理情報を表示する。続いて、第１入力手段で、エネルギー等管理情報に対して設備機器もしくは所定の設備機器群または建造物の改善情報が入力される。その後、第２表示手段が、第１入力手段において入力される設備機器もしくは所定の設備機器群または建造物の改善情報を表示する。このため、エネルギー管理だけでなく、工場などにおいて消費などされる様々な物理量を総合的に管理することができる。
【００５６】
請求項４に係るエネルギー管理システムでは、先ず、エネルギー計測装置が、設備機器または所定の設備機器群が消費するエネルギーを計測する。そして、情報管理装置において、加工情報生成手段が、エネルギーの計測値を加工して加工情報を生成する。続いて、表示手段が、エネルギー管理情報を表示する。そして、入力手段で、エネルギー管理情報に対して設備機器または所定の設備機器群の改善情報が入力される。また、情報端末が、情報管理装置の入力手段において入力される設備機器または所定の設備機器群の改善情報を表示する。このため、現場担当者などが情報管理装置の入力手段を用いて設備機器や製造ラインなどの情報を入力し且つエネルギー管理者などが情報端末に表示される情報を閲覧することができれば、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理システムは、エネルギー管理者の負担を軽減し、省エネルギー対策をスムーズに進展させることができる。
【００５７】
請求項５に係るエネルギー管理システムでは、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理システムは、エネルギー管理者の負担を軽減し、省エネルギー対策をスムーズに進展させることができる。
【００５８】
請求項６に係るエネルギー管理システムでは、先ず、エネルギー計測装置が、設備機器または所定の設備機器群が消費するエネルギーを計測する。そして、情報管理サーバが、エネルギーの計測値を加工して加工情報を生成する。また、第１情報端末において、表示手段が、エネルギー管理情報を表示する。そして、入力手段で、エネルギー管理情報に対して設備機器または所定の設備機器群の改善情報が入力される。さらに、第２情報端末が、設備機器または所定の設備機器群の改善情報を表示する。このため、現場担当者などが第１情報端末の入力手段を用いて設備機器や製造ラインなどの情報を入力し且つエネルギー管理者などが第２情報端末に表示される情報を閲覧することができれば、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理システムは、エネルギー管理者の負担を軽減し、省エネルギー対策をスムーズに進展させることができる。
【００５９】
請求項７に係るエネルギー管理システムでは、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理システムは、エネルギー管理者の負担を軽減し、省エネルギー対策をスムーズに進展させることができる。
【００６０】
請求項８に係るエネルギー管理システムでは、先ず、エネルギー計測装置が、設備機器または所定の設備機器群が消費するエネルギーを計測する。そして、情報管理サーバが、エネルギーの計測値を加工して加工情報を生成する。また、情報端末において、表示手段が、エネルギー管理情報を表示する。そして、入力手段で、エネルギー管理情報に対して設備機器または所定の設備機器群の改善情報が入力される。さらに、情報管理サーバが、設備機器または所定の設備機器群の改善情報を表示する。このため、現場担当者などが情報端末の入力手段を用いて設備機器や製造ラインなどの情報を入力し且つエネルギー管理者などが情報管理サーバに表示される情報を閲覧することができれば、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理システムは、エネルギー管理者の負担を軽減し、省エネルギー対策をスムーズに進展させることができる。
【００６１】
請求項９に係るエネルギー管理システムでは、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理システムは、エネルギー管理者の負担を軽減し、省エネルギー対策をスムーズに進展させることができる。
【００６２】
請求項１０に係るエネルギー管理プログラムが実行されると、先ず、計測値取得ステップで、設備機器または所定の設備機器群が消費するエネルギーの計測値が取得される。次に、加工情報生成ステップで、計測値が加工されて加工情報が生成される。続いて、第１表示ステップで、エネルギー管理情報が表示される。そして、第１入力ステップで、エネルギー管理情報に対して設備機器または所定の設備機器群の改善情報が入力される。その後、第２表示ステップで、第１入力ステップにおいて入力される設備機器または所定の設備機器群の改善情報が表示される。このため、現場担当者などが第１入力ステップにおいて設備機器や製造ラインなどの情報を入力し且つエネルギー管理者などが第２表示ステップにおいて表示される情報を閲覧することができれば、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理プログラムは、エネルギー管理者の負担を軽減し、省エネルギー対策をスムーズに進展させることができる。
【００６３】
請求項１１に係るエネルギー管理システムでは、先ず、エネルギー計測値取得手段が、設備機器または所定の設備機器群が消費するエネルギーの計測値を取得する。次に、加工情報生成手段が、計測値を加工して加工情報を生成する。そして、第１表示手段が、エネルギー管理情報を表示する。続いて、第１入力手段で、エネルギー管理情報に対して設備機器または所定の設備機器群の改善情報が入力される。その後、第２表示手段が、第１入力手段において入力される設備機器または所定の設備機器群の改善情報を表示する。このため、現場担当者などが第１入力手段を用いて設備機器や製造ラインなどの情報を入力し且つエネルギー管理者などが第２表示手段において表示される情報を閲覧することができれば、エネルギー管理者などは、現場担当者などとの個別会合を開いたり現場担当者などをヒアリングするために現場に赴いたりすることなく、現場担当者などから設備機器や製造ラインなどの情報を入手することができる。したがって、本エネルギー管理システムは、エネルギー管理者の負担を軽減し、省エネルギー対策をスムーズに進展させることができる。
【図面の簡単な説明】
【図１】第１実施形態に係るエネルギー管理システム１１０を表すブロック図。
【図２】従来のエネルギー管理画面２１０を表す図。
【図３】第１実施形態に係るエネルギー管理画面２２０を表す図。
【図４】第１実施形態に係る対象設備選択画面２３０を表す図。
【図５】第１実施形態に係る既存提案確認ダイアログ２３５を表す図。
【図６】第１実施の形態に係る過去の改善事例一覧画面２４０を表す図。
【図７】第１実施形態に係る改善提案入力画面２５０を表す図。
【図８】エネルギー管理情報の表示から改善提案情報の登録までの流れを表すフローチャート。
【図９】第１実施形態の変形例（２）に係るエネルギー管理画面３２０を表す図。
【図１０】第１実施形態の変形例（３）に係るエネルギー管理画面４２０を表す図。
【図１１】第２実施形態に係るエネルギー管理システム１２０を表すブロック図。
【図１２】第３実施形態に係るエネルギー管理システム１３０を表すブロック図。
【符号の説明】
１１ａ，１１ｂ，１１ｃ                電力量計
１２                                  ガス量計
１３                                  水流計
２１，２２，・・・，２８，２９，３０  生産設備
３５                                  第１ライン
３６                                  第２ライン
４０ａ，４０ｂ，５４０ａ，５４０ｂ，６４０ａ，６４０ｂデータ収集装置
５０ａ，５０ｂ，６０，７０，５５０ａ，５５０ｂ，５６０，６５０ａ，６５０ｂ，６６０，６７０                    コンピュータ
５１ａ，５１ｂ，６１，７１，５５１ａ，５５１ｂ，５６１，６５１ａ，６５１ｂ，６６１，６７１                    ディスプレイ
５２ａ，５２ｂ，５５２ａ，５５２ｂ，６５２ａ，６５２ｂキーボード
６３，５５３ａ，５５３ｂ，６６３      データベース
６４，５５４ａ，５５４ｂ，６６４      管理プログラム
６５，５５５ａ，５５５ｂ，６６５      加工プログラム
６６，６６６                          ＬＡＮのインターフェイス
８０                                  ガス
８５                                  水道
９０                                  構内ネットワーク
１０１，５０１，６０１                  エネルギー管理部門
１０２，５０２                          事務所
１０３，５０３，６０３                  第１工場
１０４，５０４，６０４                  第２工場
１１０，１２０，１３０                  エネルギー管理システム
２１０                                  従来の管理データ画面
２２０                                  本実施の形態に係る管理データ画面
２２１                                  改善提案ボタン
２３０                                  対象設備選択画面
２３１                                  チェックボックス
２３２                                  ＯＫボタン
２３３，２３８，２４２，２５８          キャンセルボタン
２３５                                  既存提案確認ダイアログ
２３６                                  ＹＥＳボタン
２３７                                  ＮＯボタン
２４０                                  過去の改善事例一覧画面
２４１                                  提案入力ボタン
２４３ａ，２４３ｂ                      ハイパーリンクされた文字列
２５０                                  改善提案入力画面
２５１                                  対象設備情報欄
２５２                                  氏名等入力欄
２５３                                  対象部品入力欄
２５４                                  設備概要閲覧ボタン
２５５                                  問題点等入力欄
２５６                                  備考欄
２５７                                  登録ボタン
３２０                                  変形例（１）に係る管理データ画面
３２１，３２２                          ハイパーリンクオブジェクト
４２０                                  変形例（２）に係る管理データ画面
４２１                                  プルダウンメニュー
５５６ａ，５５６ｂ                      接続インターフェイス
６０５                                  コンピュータルーム
【図１】
2004355531.tif 000003
【図２】
2004355531.tif 000004
【図３】
2004355531.tif 000005
【図４】
2004355531.tif 000006
【図５】
2004355531.tif 000007
【図６】
2004355531.tif 000008
【図７】
2004355531.tif 000009
【図８】
2004355531.tif 000010
【図９】
2004355531.tif 000011
【図１０】
2004355531.tif 000012
【図１１】
2004355531.tif 000013
【図１２】
2004355531.tif 000014